(57)【要約】【課題】  配信されたコンテンツを適切に復元できる配信システムを提供することである。【解決手段】  ハードディスクが換装された後に、オーディオ機器は、復元要求情報をデータサーバに送信する（Ｓ１１）。データサーバは、この復元要求情報を受信すると、利用者管理ＤＢを検索して復元要件を確認し（Ｓ２２）、格納済み楽曲情報の返信をオーディオ機器に要求する（Ｓ２３）。オーディオ機器は、換装後のハードディスクに格納済みの楽曲情報を生成してデータサーバに送信する（Ｓ１３）。データサーバは、この楽曲情報を受信すると、楽曲データの重複等を確認して、対象の楽曲データをコンテンツ管理ＤＢから読み出し（Ｓ２５）、オーディオ機器に送信する（Ｓ２６）。オーディオ機器は、配信される楽曲データをハードディスクに格納し（Ｓ１５）、コンテンツの復元を終える。【選択図】  図７
2004220592.tif 000002
【特許請求の範囲】
【請求項１】
サーバとオーディオ機器とがネットワークを介して接続された配信システムであって、
前記サーバは、
配信対象のコンテンツを前記オーディオ機器に向けて配信する配信手段と、
前記配信手段が配信したコンテンツに関する配信履歴情報を記憶する履歴情報記憶手段と、
前記オーディオ機器からの要求に応答して、前記履歴情報記憶手段に記憶された配信履歴情報に従って、対象のコンテンツを前記オーディオ機器に向けて再配信する再配信手段と、を備え、
前記オーディオ機器は、
コンテンツを記憶するための所定容量の記憶手段と、
前記記憶手段が換装された後に、前記サーバに向けて、換装前のコンテンツの復元を要求する要求情報を送信する送信手段と、
前記送信手段が送信した要求情報に応答して、前記サーバから再配信されるコンテンツを前記記憶手段に格納する格納手段と、を備える、
ことを特徴とする配信システム。
【請求項２】
前記オーディオ機器は、
換装後の前記記憶手段に規定されているユニークな識別情報を取得する取得手段を更に備え、
前記送信手段は、前記取得手段が取得した識別情報を含んだ要求情報を、前記サーバに送信し、
前記サーバは、
前記オーディオ機器における現在の前記記憶手段の識別情報を含んだ機器情報を記憶する機器情報記憶手段と、
前記オーディオ機器から送られる要求情報と前記機器情報記憶手段に記憶された機器情報との関係から、前記オーディオ機器における前記記憶手段の換装が適正に行われたか否かを判別する判別手段と、を更に備え、
前記再配信手段は、前記判別手段により、前記記憶手段の適正な換装が判別された場合にだけ、対象のコンテンツを前記オーディオ機器に再配信する、
ことを特徴とする請求項１に記載の配信システム。
【請求項３】
前記オーディオ機器は、
換装後の前記記憶手段から、格納済みのコンテンツを示すコンテンツ情報を取得するコンテンツ情報取得手段と、
前記コンテンツ情報取得手段が取得したコンテンツ情報を前記サーバに向けて送信するコンテンツ情報送信手段と、を更に備え、
前記サーバは、
前記オーディオ機器から送られるコンテンツ情報に従って、前記オーディオ機器の前記記憶手段に現在格納されているコンテンツを特定する特定手段を更に備え、
前記再配信手段は、前記特定手段が特定したコンテンツを除いたコンテンツを前記オーディオ機器に再配信する、
ことを特徴とする請求項１又は２に記載の配信システム。
【請求項４】
サーバとオーディオ機器とがネットワークを介して接続された配信システムであって、
前記サーバは、
配信対象のコンテンツを前記オーディオ機器に向けて配信する配信手段と、
前記配信手段の配信先となる前記オーディオ機器から送られる受信履歴情報を受信する受信手段と、
前記受信手段が受信した受信履歴情報に従って、対象のコンテンツを前記オーディオ機器に向けて再配信する再配信手段と、を備え、
前記オーディオ機器は、
コンテンツを記憶するための所定容量の記憶手段と、
前記サーバから配信され、受信したコンテンツに関する受信履歴情報を記憶する履歴情報記憶手段と、
前記記憶手段が換装された後に、前記履歴情報記憶手段に記憶された受信履歴情報を前記サーバに向けて送信する送信手段と、
前記送信手段が送信した受信履歴情報に応答して、前記サーバから再配信されるコンテンツを前記記憶手段に格納する格納手段と、を備える、
ことを特徴とする配信システム。
【請求項５】
前記オーディオ機器は、
利用者による操作指示に関する操作履歴情報を順次記憶する操作履歴記憶手段を更に備え、
前記送信手段は、受信履歴情報と共に、前記操作履歴記憶手段に記憶された操作履歴情報を前記サーバに送信し、
前記サーバは、
前記オーディオ機器から送られる操作履歴情報に従って、配信対象外のコンテンツを特定する特定手段を更に備え、
前記再配信手段は、前記特定手段が特定したコンテンツを除いたコンテンツを前記オーディオ機器に再配信する、
ことを特徴とする請求項４に記載の配信システム。
【請求項６】
配信サーバと管理サーバとオーディオ機器とがネットワークを介して接続された配信システムであって、
前記配信サーバは、
利用者によるコンテンツの購入内容を示す購入明細情報を、前記管理サーバに送信する送信手段と、
前記管理サーバから返送される購入明細情報に従って、対象のコンテンツを前記オーディオ機器に向けて再配信する再配信手段と、を備え、
前記管理サーバは、
前記配信サーバから送られた購入明細情報を利用者情報に対応付けて記憶する購入情報記憶手段と、
前記オーディオ機器から送られる要求情報に応答して、利用者に対応する購入明細情報を前記配信サーバに返送する返送手段と、を備え、
前記オーディオ機器は、
コンテンツを記憶するための所定容量の記憶手段と、
前記管理サーバに向けて、換装前のコンテンツの復元を要求する要求情報を送信する要求情報送信手段と、
前記要求情報送信手段が送信した要求情報に応答して、前記配信サーバから再配信されるコンテンツを前記記憶手段に格納する格納手段と、を備える、
ことを特徴とする配信システム。
【請求項７】
前記オーディオ機器の前記要求情報送信手段は、前記記憶手段が換装されたことを検出した場合に限り、コンテンツの復元を要求する要求情報を前記管理サーバに送信する、
ことを特徴とする請求項６に記載の配信システム。
【請求項８】
配信サーバと管理サーバとオーディオ機器とがネットワークを介して接続された配信システムであって、
前記配信サーバは、
利用者によるコンテンツの購入内容を示す購入明細情報を、前記管理サーバに送信する送信手段と、
前記オーディオ機器から返送される購入明細情報に従って、対象のコンテンツを前記オーディオ機器に向けて再配信する再配信手段と、を備え、
前記管理サーバは、前記配信サーバから送られた購入明細情報を利用者情報に対応付けて記憶する購入情報記憶手段と、
前記オーディオ機器からのアクセスに応答して、利用者に対応する購入明細情報を前記オーディオ機器に転送する転送手段と、を備え、
前記オーディオ機器は、
コンテンツを記憶するための所定容量の記憶手段と、
前記管理サーバにアクセスし、購入明細情報を取得する購入情報取得手段と、
前記購入情報取得手段が取得した購入明細情報と共に、換装前のコンテンツの復元を要求する要求情報を前記配信サーバに送信する要求情報送信手段と、
前記要求情報送信手段が送信した要求情報に応答して、前記配信サーバから再配信されるコンテンツを前記記憶手段に格納する格納手段と、を備える、
ことを特徴とする配信システム。
【請求項９】
前記オーディオ機器の前記購入情報取得手段は、前記記憶手段が換装されたことを検出した場合に限り、前記管理サーバにアクセスし、購入明細情報を取得する、
ことを特徴とする請求項８に記載の配信システム。
【請求項１０】
所定容量の記憶部を備えたオーディオ機器とネットワークを介して接続されたサーバであって、
配信対象のコンテンツを前記オーディオ機器に向けて配信する配信手段と、
前記配信手段が配信したコンテンツに関する配信履歴情報を記憶する履歴情報記憶手段と、
記憶部が換装された前記オーディオ機器からの要求に応答して、前記履歴情報記憶手段に記憶された配信履歴情報に従って、対象のコンテンツを前記オーディオ機器に向けて再配信する再配信手段と、
を備えることを特徴とするサーバ。
【請求項１１】
所定容量の記憶部を備えたオーディオ機器とネットワークを介して接続されたサーバであって、
配信対象のコンテンツを前記オーディオ機器に向けて配信する配信手段と、
前記配信手段の配信先となる前記オーディオ機器から送られる受信履歴情報を受信する受信手段と、
前記受信手段が受信した受信履歴情報に従って、対象のコンテンツを記憶部が換装された前記オーディオ機器に向けて再配信する再配信手段と、
を備えることを特徴とするサーバ。
【請求項１２】
配信したコンテンツの配信履歴情報を管理するサーバとネットワークを介して接続されたオーディオ機器であって、
コンテンツを記憶するための所定容量の記憶手段と、
前記記憶手段が換装された後に、前記サーバに向けて、換装前のコンテンツの復元を要求する要求情報を送信する送信手段と、
前記送信手段が送信した要求情報に応答して、前記サーバから配信履歴情報に従って再配信されるコンテンツを、前記記憶手段に格納する格納手段と、
を備えることを特徴とするオーディオ機器。
【請求項１３】
コンテンツを配信するサーバとネットワークを介して接続されたオーディオ機器であって、
コンテンツを記憶するための所定容量の記憶手段と、
前記サーバから配信され、受信したコンテンツに関する受信履歴情報を記憶する履歴情報記憶手段と、
前記記憶手段が換装された後に、前記履歴情報記憶手段に記憶された受信履歴情報を前記サーバに向けて送信する送信手段と、
前記送信手段が送信した受信履歴情報に応答して、前記サーバから再配信されるコンテンツを前記記憶手段に格納する格納手段と、
を備えることを特徴とするオーディオ機器。
【請求項１４】
配信したコンテンツの配信履歴情報を管理するサーバとネットワークを介して接続されたオーディオ機器におけるコンテンツ復元方法であって、
コンテンツを記憶するための所定容量の記憶部が換装された後に、サーバに向けて、換装前のコンテンツの復元を要求する要求情報を送信する送信ステップと、
前記送信ステップにて送信した要求情報に応答して、サーバから配信履歴情報に従って再配信されるコンテンツを、換装された記憶部に格納して復元する復元ステップと、
を備えることを特徴とするコンテンツ復元方法。
【請求項１５】
コンテンツを配信するサーバとネットワークを介して接続されたオーディオ機器におけるコンテンツ復元方法であって、
サーバから配信され、受信したコンテンツに関する受信履歴情報を所定の履歴記憶部に格納する履歴情報格納ステップと、
コンテンツを記憶するための所定容量のコンテンツ記憶部が換装された後に、前記履歴情報格納ステップにて履歴記憶部に格納された受信履歴情報をサーバに向けて送信する送信ステップと、
前記送信ステップにて送信した受信履歴情報に応答して、サーバから再配信されるコンテンツを換装後のコンテンツ記憶部に格納して復元する復元ステップと、
を備えることを特徴とするコンテンツ復元方法。
【発明の詳細な説明】
【技術分野】
【０００１】
この発明は、配信システム、サーバ、オーディオ機器およびコンテンツ復元方法に関する。
【背景技術】
【０００２】
近年、ネットワークの高速化や、データ圧縮技術の発展に伴って、楽曲データ等の配信を行う情報配信システムが普及して来ている。このような情報配信システムにおいて、一般に、利用者は、パーソナルコンピュータ（パソコン）を使用してインターネットに接続し、所定の音楽配信サイト等にアクセスする。そして、パソコンは、利用者の操作に従って、アクセス先の音楽配信サイトから所望の楽曲データをダウンロードし、ダウンロードが完了した楽曲データを再生する（例えば、特許文献１参照）。
【特許文献１】特開２００２−７４８１４号公報  （第６−７頁、第１図）
【０００３】
それでも、一般に、パソコンにおける音楽再生は、専用のオーディオ機器と比較して、音質や音量等が不十分なものとなってしまう。そのため、高音質な音楽を聴きたい利用者は、パソコンにダウンロードした楽曲データを、所定の記録媒体に書き込んだ後に、その記録媒体を再生可能なオーディオ機器にて音楽再生することも多い。
【０００４】
けれども、このような作業を頻繁に行うことは、利用者にとって極めて煩雑であった。特に、音楽配信サイトからダウンロードした楽曲データには、適切な著作権保護が図られており、記録媒体への無秩序な書き込み（複製等）が禁止されているため、利用者は、正当な手順を経ないと、オーディオ機器にて音楽再生することができなくなる場合もあった。
【０００５】
このような不都合を解消するために、パソコン等を使用せずに、直接、音楽配信サイト等と接続可能なオーディオ機器の開発が待ち望まれていた。つまり、音楽配信サイト等と直接接続可能となり、そして、できるだけ多くの楽曲データを記憶し、高音質にて再生できるようなオーディオ機器である。
このような要件を満たすためには、所定容量のハードディスクを機器構成に加えることが、現時点において最も妥当性がある。
【０００６】
それでも、このようなハードディスクを備えたオーディオ機器が開発され市販された場合には、利用者がハードディスクに対して抱く漠然とした不安を払拭しなければ、オーディオ機器の普及が図れないと思われる。例えば、利用者は、ハードディスクが故障すると、格納されていた（ダウンロード等された）楽曲データが全て使えなくなり、それまでに費やした労力とお金（課金等）とが無駄になってしまうといった不安を抱いている。
【０００７】
このような不安を払拭するために、オーディオ機器をパソコン等と接続可能とし、オーディオ機器のハードディスクに格納されている楽曲データを、パソコン等のハードディスクにバックアップ可能（リストア可能）とすることも考えられる。
【発明の開示】
【発明が解決しようとする課題】
【０００８】
しかしながら、パソコン等を持たない利用者には、何の解決にもならないことや、利用者に煩雑なバックアップ処理（リストア処理）を任せること自体に共感が得られないと考えられる。
また、パソコンにバックアップされた楽曲データが、悪意のある第三者により不正に配布されるおそれもあり、著作権保護が十分に図れない事態も予想される。
【０００９】
この発明は、上記実状に鑑みてなされたもので、配信されたコンテンツを適切に復元することのできる配信システム、サーバ、オーディオ機器およびコンテンツ復元方法を提供することを目的とする。
【課題を解決するための手段】
【００１０】
上記目的を達成するため、本発明の第１の観点に係る配信システムは、
サーバとオーディオ機器とがネットワークを介して接続された配信システムであって、
前記サーバは、
配信対象のコンテンツを前記オーディオ機器に向けて配信する配信手段と、
前記配信手段が配信したコンテンツに関する配信履歴情報を記憶する履歴情報記憶手段と、
前記オーディオ機器からの要求に応答して、前記履歴情報記憶手段に記憶された配信履歴情報に従って、対象のコンテンツを前記オーディオ機器に向けて再配信する再配信手段と、を備え、
前記オーディオ機器は、
コンテンツを記憶するための所定容量の記憶手段と、
前記記憶手段が換装された後に、前記サーバに向けて、換装前のコンテンツの復元を要求する要求情報を送信する送信手段と、
前記送信手段が送信した要求情報に応答して、前記サーバから再配信されるコンテンツを前記記憶手段に格納する格納手段と、を備える、
ことを特徴とする。
【００１１】
前記オーディオ機器は、
換装後の前記記憶手段に規定されているユニークな識別情報を取得する取得手段を更に備え、
前記送信手段は、前記取得手段が取得した識別情報を含んだ要求情報を、前記サーバに送信し、
前記サーバは、
前記オーディオ機器における現在の前記記憶手段の識別情報を含んだ機器情報を記憶する機器情報記憶手段と、
前記オーディオ機器から送られる要求情報と前記機器情報記憶手段に記憶された機器情報との関係から、前記オーディオ機器における前記記憶手段の換装が適正に行われたか否かを判別する判別手段と、を更に備え、
前記再配信手段は、前記判別手段により、前記記憶手段の適正な換装が判別された場合にだけ、対象のコンテンツを前記オーディオ機器に再配信してもよい。
【００１２】
前記オーディオ機器は、
換装後の前記記憶手段から、格納済みのコンテンツを示すコンテンツ情報を取得するコンテンツ情報取得手段と、
前記コンテンツ情報取得手段が取得したコンテンツ情報を前記サーバに向けて送信するコンテンツ情報送信手段と、を更に備え、
前記サーバは、
前記オーディオ機器から送られるコンテンツ情報に従って、前記オーディオ機器の前記記憶手段に現在格納されているコンテンツを特定する特定手段を更に備え、
前記再配信手段は、前記特定手段が特定したコンテンツを除いたコンテンツを前記オーディオ機器に再配信してもよい。
【００１３】
上記目的を達成するため、本発明の第２の観点に係る配信システムは、
サーバとオーディオ機器とがネットワークを介して接続された配信システムであって、
前記サーバは、
配信対象のコンテンツを前記オーディオ機器に向けて配信する配信手段と、
前記配信手段の配信先となる前記オーディオ機器から送られる受信履歴情報を受信する受信手段と、
前記受信手段が受信した受信履歴情報に従って、対象のコンテンツを前記オーディオ機器に向けて再配信する再配信手段と、を備え、
前記オーディオ機器は、
コンテンツを記憶するための所定容量の記憶手段と、
前記サーバから配信され、受信したコンテンツに関する受信履歴情報を記憶する履歴情報記憶手段と、
前記記憶手段が換装された後に、前記履歴情報記憶手段に記憶された受信履歴情報を前記サーバに向けて送信する送信手段と、
前記送信手段が送信した受信履歴情報に応答して、前記サーバから再配信されるコンテンツを前記記憶手段に格納する格納手段と、を備える、
ことを特徴とする。
【００１４】
前記オーディオ機器は、
利用者による操作指示に関する操作履歴情報を順次記憶する操作履歴記憶手段を更に備え、
前記送信手段は、受信履歴情報と共に、前記操作履歴記憶手段に記憶された操作履歴情報を前記サーバに送信し、
前記サーバは、
前記オーディオ機器から送られる操作履歴情報に従って、配信対象外のコンテンツを特定する特定手段を更に備え、
前記再配信手段は、前記特定手段が特定したコンテンツを除いたコンテンツを前記オーディオ機器に再配信してもよい。
【００１５】
上記目的を達成するため、本発明の第３の観点に係る配信システムは、
配信サーバと管理サーバとオーディオ機器とがネットワークを介して接続された配信システムであって、
前記配信サーバは、
利用者によるコンテンツの購入内容を示す購入明細情報を、前記管理サーバに送信する送信手段と、
前記管理サーバから返送される購入明細情報に従って、対象のコンテンツを前記オーディオ機器に向けて再配信する再配信手段と、を備え、
前記管理サーバは、
前記配信サーバから送られた購入明細情報を利用者情報に対応付けて記憶する購入情報記憶手段と、
前記オーディオ機器から送られる要求情報に応答して、利用者に対応する購入明細情報を前記配信サーバに返送する返送手段と、を備え、
前記オーディオ機器は、
コンテンツを記憶するための所定容量の記憶手段と、
前記管理サーバに向けて、換装前のコンテンツの復元を要求する要求情報を送信する要求情報送信手段と、
前記要求情報送信手段が送信した要求情報に応答して、前記配信サーバから再配信されるコンテンツを前記記憶手段に格納する格納手段と、を備える、
ことを特徴とする。
【００１６】
前記オーディオ機器の前記要求情報送信手段は、前記記憶手段が換装されたことを検出した場合に限り、コンテンツの復元を要求する要求情報を前記管理サーバに送信してもよい。
【００１７】
上記目的を達成するため、本発明の第４の観点に係る配信システムは、
配信サーバと管理サーバとオーディオ機器とがネットワークを介して接続された配信システムであって、
前記配信サーバは、
利用者によるコンテンツの購入内容を示す購入明細情報を、前記管理サーバに送信する送信手段と、
前記オーディオ機器から返送される購入明細情報に従って、対象のコンテンツを前記オーディオ機器に向けて再配信する再配信手段と、を備え、
前記管理サーバは、前記配信サーバから送られた購入明細情報を利用者情報に対応付けて記憶する購入情報記憶手段と、
前記オーディオ機器からのアクセスに応答して、利用者に対応する購入明細情報を前記オーディオ機器に転送する転送手段と、を備え、
前記オーディオ機器は、
コンテンツを記憶するための所定容量の記憶手段と、
前記管理サーバにアクセスし、購入明細情報を取得する購入情報取得手段と、
前記購入情報取得手段が取得した購入明細情報と共に、換装前のコンテンツの復元を要求する要求情報を前記配信サーバに送信する要求情報送信手段と、
前記要求情報送信手段が送信した要求情報に応答して、前記配信サーバから再配信されるコンテンツを前記記憶手段に格納する格納手段と、を備える、
ことを特徴とする。
【００１８】
前記オーディオ機器の前記購入情報取得手段は、前記記憶手段が換装されたことを検出した場合に限り、前記管理サーバにアクセスし、購入明細情報を取得してもよい。
【００１９】
上記目的を達成するため、本発明の第５の観点に係るサーバは、
所定容量の記憶部を備えたオーディオ機器とネットワークを介して接続されたサーバであって、
配信対象のコンテンツを前記オーディオ機器に向けて配信する配信手段と、
前記配信手段が配信したコンテンツに関する配信履歴情報を記憶する履歴情報記憶手段と、
記憶部が換装された前記オーディオ機器からの要求に応答して、前記履歴情報記憶手段に記憶された配信履歴情報に従って、対象のコンテンツを前記オーディオ機器に向けて再配信する再配信手段と、
を備えることを特徴とする。
【００２０】
上記目的を達成するため、本発明の第６の観点に係るサーバは、
所定容量の記憶部を備えたオーディオ機器とネットワークを介して接続されたサーバであって、
配信対象のコンテンツを前記オーディオ機器に向けて配信する配信手段と、
前記配信手段の配信先となる前記オーディオ機器から送られる受信履歴情報を受信する受信手段と、
前記受信手段が受信した受信履歴情報に従って、対象のコンテンツを記憶部が換装された前記オーディオ機器に向けて再配信する再配信手段と、
を備えることを特徴とする。
【００２１】
上記目的を達成するため、本発明の第７の観点に係るオーディオ機器は、
配信したコンテンツの配信履歴情報を管理するサーバとネットワークを介して接続されたオーディオ機器であって、
コンテンツを記憶するための所定容量の記憶手段と、
前記記憶手段が換装された後に、前記サーバに向けて、換装前のコンテンツの復元を要求する要求情報を送信する送信手段と、
前記送信手段が送信した要求情報に応答して、前記サーバから配信履歴情報に従って再配信されるコンテンツを、前記記憶手段に格納する格納手段と、
を備えることを特徴とする。
【００２２】
上記目的を達成するため、本発明の第８の観点に係るオーディオ機器は、
コンテンツを配信するサーバとネットワークを介して接続されたオーディオ機器であって、
コンテンツを記憶するための所定容量の記憶手段と、
前記サーバから配信され、受信したコンテンツに関する受信履歴情報を記憶する履歴情報記憶手段と、
前記記憶手段が換装された後に、前記履歴情報記憶手段に記憶された受信履歴情報を前記サーバに向けて送信する送信手段と、
前記送信手段が送信した受信履歴情報に応答して、前記サーバから再配信されるコンテンツを前記記憶手段に格納する格納手段と、
を備えることを特徴とする。
【００２３】
上記目的を達成するため、本発明の第９の観点に係るコンテンツ復元方法は、
配信したコンテンツの配信履歴情報を管理するサーバとネットワークを介して接続されたオーディオ機器におけるコンテンツ復元方法であって、
コンテンツを記憶するための所定容量の記憶部が換装された後に、サーバに向けて、換装前のコンテンツの復元を要求する要求情報を送信する送信ステップと、
前記送信ステップにて送信した要求情報に応答して、サーバから配信履歴情報に従って再配信されるコンテンツを、換装された記憶部に格納して復元する復元ステップと、
を備えることを特徴とする。
【００２４】
上記目的を達成するため、本発明の第１０の観点に係るコンテンツ復元方法は、
コンテンツを配信するサーバとネットワークを介して接続されたオーディオ機器におけるコンテンツ復元方法であって、
サーバから配信され、受信したコンテンツに関する受信履歴情報を所定の履歴記憶部に格納する履歴情報格納ステップと、
コンテンツを記憶するための所定容量のコンテンツ記憶部が換装された後に、前記履歴情報格納ステップにて履歴記憶部に格納された受信履歴情報をサーバに向けて送信する送信ステップと、
前記送信ステップにて送信した受信履歴情報に応答して、サーバから再配信されるコンテンツを換装後のコンテンツ記憶部に格納して復元する復元ステップと、
を備えることを特徴とする。
【発明の効果】
【００２５】
本発明によれば、本発明によれば、配信されたコンテンツを適切に復元することができる。
【発明を実施するための最良の形態】
【００２６】
本発明の実施の形態にかかる情報配信システムについて、以下図面を参照して説明する。
【００２７】
（実施形態１）
図１は、この発明の実施の形態に適用される情報配信システムの構成の一例を示す模式図である。図示するように、このシステムは、オーディオ機器１と、データサーバ３とから構成される。なお、オーディオ機器１とデータサーバ３とは、インターネット等のネットワーク９を介して接続されている。
【００２８】
まず、オーディオ機器１について、図２を参照して説明する。図２は、オーディオ機器１の構成の一例を示すブロック図である。図示するように、オーディオ機器１は、チューナユニット１１と、ＭＤ記録再生ユニット１２と、信号処理部１３と、ネットワークアダプタ１４と、ハードディスク１５と、フラッシュメモリ１６と、計時ユニット１７と、操作部１８と、表示部１９と、制御部２０と、ソース選択部２１と、アンプ２２と、スピーカ２３とを含んで構成される。
【００２９】
チューナユニット１１は、所定のアンテナを介してＡＭ放送やＦＭ放送等の放送番組を受信し、受信した番組音声をソース選択部２１に供給する。
【００３０】
ＭＤ（ミニディスク）記録再生ユニット１２は、信号処理部１３に制御され、ＭＤ（記録用ＭＤ）に楽曲データを記録する。
例えば、ＭＤ記録再生ユニット１２は、ＮｅｔＭＤ（登録商標）規格に準じた記録再生ユニットであり、ハードディスク１５に格納された楽曲データを、ＭＤに記録し（チェックアウトし）、また、ＭＤに記録した楽曲データをハードディスク１５に戻す（チェックインする）。
また、ＭＤ記録再生ユニット１２は、ＭＤに記録した楽曲データから音声信号を再生し、再生した音声信号をソース選択部２１に供給する。
【００３１】
信号処理部１３は、例えば、ＤＳＰ（Digital Signal Processor）等からなり、制御部２０から供給される動作命令等に従って、ＭＤ記録再生ユニット１２の記録・再生動作を制御する。
また、信号処理部１３は、ハードディスク１５に格納された楽曲データ（例えば、暗号化されたＡＴＲＡＣ３データやＰＣＭデータ等）の抽出及び、復号を行い、音声信号を再生する。そして、再生した音声信号をソース選択部２１に供給する。
更に、信号処理部１３は、データサーバ３からストリーミング配信された番組コンテンツ（例えば、複数の楽曲データ等からなるストリームデータ）が供給されると、デコード等を行い、復号した音声信号をソース選択部２１に供給する。
【００３２】
ネットワークアダプタ１４は、例えば、ＬＡＮ（Local Area Network）カードや高速モデム等からなり、制御部２０に制御され、ネットワーク９を介してデータサーバ３との間で必要な情報を送受信する。
例えば、ネットワークアダプタ１４は、楽曲データの配信を要求する配信要求情報をデータサーバ３に送信する。また、ハードディスク１５の故障により、新たなハードディスク１５が換装された後に、ネットワークアダプタ１４は、換装前に格納されていた楽曲データの復元を要求する復元要求情報をデータサーバ３に送信する。
【００３３】
ハードディスク１５は、所定容量の磁気ディスクユニットからなり、データサーバ３から配信された楽曲データ等を記憶する。このハードディスク１５には、例えば、内部の不揮発性メモリにユニークな識別情報（ＨＤコード）が記憶されている。
また、ハードディスク１５は、制御部２０に制御され、記憶している楽曲データ等を信号処理部１３に供給する。
ところで、ハードディスク１５にディスククラッシュ等のハードウェア障害（故障）が生じると、利用者は、例えば、所定の修理センタにオーディオ機器１を持ち込み、修理を依頼する。そして、修理センタの作業者は、故障したハードディスク１５をフォーマットされた新たなハードディスク１５に換装（交換）し、オーディオ機器１を利用者に返却する。
なお、換装後のハードディスク１５にもＨＤコードが記憶されており、この新たなＨＤコードの値は、換装作業終了後に修理センタからデータサーバ３に通知される。
【００３４】
フラッシュメモリ１６は、ＥＥＰＲＯＭ（Electrically Erasable and Programmable ROM）等からなり、ユーザＩＤ、パスワード及び、機器ＩＤ等を記憶する。
これらのユーザＩＤやパスワード等は、制御部２０に適宜読み出され、オーディオ機器１がネットワーク９を介して最初にデータサーバ３にアクセスする際に、ユーザ認証のために使用される。
【００３５】
計時ユニット１７は、クロック回路等からなり、現在日付（年月日）及び、現在時間（時分秒）等を計時する。
また、計時ユニット１７は、タイマ機能も備えており、設定された日時が到来（経過）すると、制御部２０に対して、所定動作の開始を指示する。
【００３６】
操作部１８は、オーディオ機器１の前面に配置された複数のキースイッチやアナログスイッチ等からなり、利用者の操作に従った指示情報を入力して制御部２０に供給する。
例えば、操作部１８には、ハードディスク１５が故障し、新たなハードディスク１５に換装された後に、データサーバ３に対して換装前のハードディスク１５に記憶されていた楽曲データの復元を要求するための要求キー等が含まれている。
【００３７】
表示部１９は、蛍光表示管や液晶表示ユニット等からなり、制御部２０に制御され、オーディオ機器１の動作状況等を示すシンボルやメッセージ等を表示する。
例えば、表示部１９は、データサーバ３にて配信可能となる楽曲データや番組コンテンツの一覧等の情報を表示する。
【００３８】
制御部２０は、ＣＰＵ（Central Processing Unit）、ＲＯＭ（Read Only Memory）及び、ＲＡＭ（Random Access Memory）を含んだ１チップマイコン等からなり、オーディオ機器１全体を制御する。
【００３９】
例えば、制御部２０は、操作部１８を介して、利用者に楽曲データのダウンロードが指示されると、ネットワークアダプタ１４を制御して、所望の楽曲データの配信を要求する配信要求情報をデータサーバ３に向けて送信する。そして、データサーバ３から楽曲データの配信が開始されると、受信した楽曲データをハードディスク１５に格納する。
また、ハードディスク１５が故障し、所定の修理センタにて、新たなハードディスク１５に換装された後に、操作部１８を介して、復元が指示されると、換装前に格納されていた楽曲データの復元を要求する復元要求情報を生成し、データサーバ３に向けて送信する。そして、データサーバ３から楽曲データの再配信が開始されると、受信した楽曲データを換装後のハードディスク１５に格納する。
【００４０】
ソース選択部２１は、入力切換スイッチ等からなり、制御部２０に制御され、チューナユニット１１、ＭＤ記録再生ユニット１２及び、信号処理部１３の何れか１つを入力ソースとして選択する。ソース選択部２１は、選択した入力ソースから出力される音声信号をアンプ２２に供給する。
【００４１】
アンプ２２は、所定の増幅回路等からなり、ソース選択部２１を介して供給された音声信号を適宜増幅し、増幅した音声信号をスピーカ２３に供給する。
【００４２】
スピーカ２３は、ステレオスピーカ等からなり、アンプ２２にて増幅された音声信号に従って、音声（楽曲音等）を出力する。
【００４３】
次に、データサーバ３について、図３を参照して説明する。図３は、データサーバ３の構成の一例を示すブロック図である。図示するように、データサーバ３は、データベース３０と、処理制御部４１と、エンコード処理ユニット４２と、通信制御部４３とを含んで構成される。
【００４４】
データベース３０は、例えば、コンテンツ管理ＤＢ３１と、利用者管理ＤＢ３２と、配信履歴管理ＤＢ３３とからなる。
コンテンツ管理ＤＢ３１は、配信対象となる楽曲データ等を管理するデータベースである。具体的にコンテンツ管理ＤＢ３１は、図４に示すように、楽曲ＩＤ、楽曲名、及び、格納アドレス等を記憶する。なお、楽曲ＩＤとは、楽曲データを特定するためのユニークな識別情報である。
【００４５】
利用者管理ＤＢ３２は、データサーバ３にアクセスしてサービスを利用可能な利用者及びオーディオ機器１の情報を管理するデータベースである。具体的に利用者管理ＤＢ３２は、図５（ａ）に示すような利用者情報及び、図５（ｂ）に示すような機器情報を使用して、利用者及びオーディオ機器１を管理する。
図５（ａ）に示す利用者情報は、例えば、利用者を特定するユーザＩＤ、パスワード及びユーザ名等や、決済機関等の情報を記憶する。
また、図５（ｂ）に示す機器情報は、オーディオ機器１を特定する機器ＩＤ、ユーザＩＤ、機種コード、ＨＤコード、及び、換装区分等の情報を記憶する。
なお、ＨＤコードとは、オーディオ機器１が現在備えているハードディスク１５を識別するためのユニークなコードである。そして、新たなハードディスク１５に換装されると、修理センタから通知される換装後のＨＤコードの値に更新される。
また、換装区分とは、換装の有無を規定する情報である。この換装区分は、初期値として「換装無し」がセットされ、修理センタから換装後のＨＤコードが通知されると、「換装有り」に更新される。そして、オーディオ機器１（換装後のハードディスク１５）への楽曲データの復元を終えると、再度「換装無し」に更新される。
【００４６】
配信履歴管理ＤＢ３３は、各オーディオ機器１に向けて配信した楽曲データの履歴を管理するデータベースである。具体的に配信履歴管理ＤＢ３３は、図６に示すように、機器ＩＤ単位に、楽曲データの配信日時、楽曲ＩＤ、及び、有効期限等の情報を記憶する。
なお、有効期限とは、配信された楽曲データが、期日を限って再生可能である場合に、設定される期日である。
【００４７】
図３に戻って、処理制御部４１は、所定のコンピュータユニットからなり、データサーバ３全体を制御する。
例えば、処理制御部４１は、通信制御部４３を介して、オーディオ機器１から送られる配信要求情報を受信すると、コンテンツ管理ＤＢ３１を検索し、対応する楽曲データを取得する。
そして、処理制御部４１は、取得した楽曲データを通信制御部４３を介してダウンロード配信する。
また、処理制御部４１は、オーディオ機器１から送られる復元要求情報を受信すると、配信履歴管理ＤＢ３３等を参照し、復元対象の楽曲データをオーディオ機器１に向けて再配信する。
【００４８】
エンコード処理ユニット４２は、番組コンテンツ（複数の楽曲データ等）を、オーディオ機器１にて再生可能となるストリームデータ形式に、リアルタイムにエンコードするエンコーダ回路等からなる。
エンコード処理ユニット４２は、処理制御部４１から供給された番組コンテンツをストリームデータに順次エンコードし、エンコードした番組コンテンツ（ストリームデータ）を、通信制御部４３を介してオーディオ機器１に向けて配信する。
なお、エンコード処理ユニット４２によって番組コンテンツを順次エンコードする代わりに、予めストリーミング配信用にオーサリングされた番組コンテンツ（ストリームデータ）をコンテンツ管理ＤＢ３１に格納しておいてもよい。
【００４９】
通信制御部４３は、回線制御装置やゲートウェイ装置等からなり、ネットワーク９を介して、データサーバ３とオーディオ機器１との間に必要な情報を送受信する。
【００５０】
以下、この発明の実施の形態にかかる情報配信システムにおける楽曲データの復元動作について、図７等を参照して説明する。なお、この動作は、オーディオ機器１のハードディスク１５に故障が発生して使用できなくなり、所定の修理センタにて新たなハードディスク１５に換装（交換）された後に行われる、楽曲データの復元動作である。
図７は、オーディオ機器１にて実行される復元処理及び、データサーバ３にて実行される再配信処理を説明するためのフローチャートである。
【００５１】
この復元処理は、例えば、操作部１８が利用者に操作され、楽曲データの復元が指示された際に、制御部２０により実行される。また、再配信処理は、例えば、オーディオ機器１からのネットワーク９を介したアクセスに応答して、処理制御部４１により実行される。
なお、換装されたハードディスク１５のＨＤコードは、修理センタからデータサーバ３に通知され、図５（ｂ）に示す機器情報（対象のＨＤコード）にて更新されているものとする。また、オーディオ機器１にて復元処理が実行される前に、楽曲データのダウンロード等も可能であり、換装後のハードディスク１５に楽曲データが既に格納されている場合もある。
【００５２】
まず、オーディオ機器１の制御部２０は、操作部１８からの指示に従って、復元要求情報を生成し、データサーバ３に向けて送信する（ステップＳ１１）。例えば、制御部２０は、換装後のハードディスク１５からＨＤコードを読み出し、また、フラッシュメモリ１６から、ユーザＩＤ及び、機器ＩＤを読み出すと、これらの情報（ＨＤコード、ユーザＩＤ、及び、機器ＩＤ）を含んだ復元要求情報を生成して、データサーバ３に送信する。
そして、制御部２０は、データサーバ３から楽曲情報（換装後のハードディスク１５に格納されている楽曲データの情報）の返信が要求されるまで、後続処理の実行を待機する（ステップＳ１２）。
【００５３】
一方、データサーバ３の処理制御部４１は、オーディオ機器１から送られる復元要求情報を受信するまで待機し（ステップＳ２１）、復元要求情報を受信すると、利用者管理ＤＢ３２を検索し、復元要件を確認する（ステップＳ２２）。
例えば、処理制御部４１は、図５（ｂ）に示すような機器情報から、機器ＩＤが一致するレコードを検索し、そして、ユーザＩＤ、及び、ＨＤコードが一致し、かつ、換装区分が「換装有り」となっていることを確認する。つまり、修理センタにてハードディスク１５が換装されたオーディオ機器１からの正当な復元要求であることを確認する。
なお、復元要件が確認できなかった場合に、処理制御部４１は、所定のエラーメッセージをオーディオ機器１に送信し、そのまま再配信処理を終える。
【００５４】
処理制御部４１は、復元要件を確認すると、格納済み楽曲情報の返信をオーディオ機器１に向けて要求する（ステップＳ２３）。すなわち、オーディオ機器１における換装後のハードディスク１５に既に格納されている楽曲データの情報を得るために、楽曲情報の返信を要求する。
そして、処理制御部４１は、オーディオ機器１から送られる楽曲情報を受信するまで、後続処理の実行を待機する（ステップＳ２４）。
【００５５】
オーディオ機器１の制御部２０は、データサーバ３から楽曲情報の返信要求を受けると、格納済み楽曲情報を生成し、データサーバ３に向けて送信する（ステップＳ１３）。つまり、換装後のハードディスク１５に現在格納されている楽曲データを示す楽曲情報を生成してデータサーバ３に送信する。
なお、ハードディスク１５に楽曲データが未だ格納されていない場合に、制御部２０は、格納無しを示す情報を楽曲情報としてデータサーバ３に送信する。
そして、制御部２０は、データサーバ３から楽曲データの再配信が開始されるまで、後続処理の実行を待機する（ステップＳ１４）。
【００５６】
一方、データサーバ３の処理制御部４１は、楽曲情報を受信すると、図６に示す配信履歴管理ＤＢ３３にて管理している楽曲データ（対象のオーディオ機器１の楽曲データ）と、重複のチェックをした後に、対象の楽曲データをコンテンツ管理ＤＢ３１から読み出す（ステップＳ２５）。
例えば、処理制御部４１は、換装後のハードディスク１５に格納済みの楽曲データを除いて、そのオーディオ機器１に配信したことのある全楽曲データをコンテンツ管理ＤＢ３１から読み出す。なお、処理制御部４１は、配信履歴管理ＤＢ３３にて管理している楽曲データの履歴の内、有効期限を経過している楽曲データを読み出し対象としないようにしても良い。
処理制御部４１は、読み出した各楽曲データをオーディオ機器１に向けて再配信する（ステップＳ２６）。
そして、再配信後に、処理制御部４１は、図５（ｂ）に示す機器情報における対象の換装区分を「換装有り」から「換装無し」に更新して、再配信処理を終える。
【００５７】
オーディオ機器１の制御部２０は、データサーバ３からの楽曲データの再配信が開始されると、受信した各楽曲データをハードディスク１５に格納する（ステップＳ１５）。つまり、制御部２０は、再配信される楽曲データを換装後のハードディスク１５に格納し、換装前の楽曲データを復元する。
そして、復元処理を終えると、利用者は、復元された楽曲データをオーディオ機器１にて自由に聴くことができる。
【００５８】
このように、図７を参照して説明した復元処理及び、再配信処理により、故障によりハードディスク１５を換装した場合でも、換装前の楽曲データが復元される。この際、利用者が煩雑なバックアップ処理（リストア処理）を行う必要が無く、また、利用者側でのバックアップが不要であるため、悪意のある第三者による楽曲データの不正配布等も防止できる。
この結果、配信されたコンテンツを適切に復元することができる。
【００５９】
上述した図７に示す復元処理及び、再配信処理では、データサーバ３の配信履管理ＤＢ３３にて、各オーディオ機器１に配信した楽曲データの履歴が管理され、この履歴等に基づいて、オーディオ機器１（ハードディスク１５）に楽曲データが復元される場合について説明した。しかしながら、オーディオ機器１側にて、受信した楽曲データの履歴を管理し、この履歴等に基づいて、オーディオ機器１（ハードディスク１５）に楽曲データを復元してもよい。
また、オーディオ機器１における操作履歴も記録できるようにし、楽曲データの復元に使用したり、故障の原因究明等に役立ててもよい。
【００６０】
例えば、オーディオ機器１は、フラッシュメモリ１６に、図８（ａ）に示すような受信履歴情報及び、図８（ｂ）に示すような操作履歴情報を記憶する。そして、オーディオ機器１は、楽曲データの復元を要求する際に、これらの受信履歴情報及び、操作履歴情報をデータサーバ３に送信する。
以下、このような受信履歴情報等を使用した復元処理及び、再配信処理の変形例について、図９のフローチャートを参照して説明する。
なお、これらの処理も、オーディオ機器１のハードディスク１５が新たなハードディスク１５に換装（交換）された後に行われ、換装されたハードディスク１５のＨＤコードは、修理センタからデータサーバ３に通知され、図５（ｂ）に示す機器情報にて更新されているものとする。
【００６１】
まず、オーディオ機器１の制御部２０は、ＨＤコード、ユーザＩＤ、及び、機器ＩＤを含んだ復元要求情報を生成し、データサーバ３に向けて送信する（ステップＳ３１）。
そして、制御部２０は、データサーバ３から履歴情報（受信履歴情報及び、操作履歴情報）の返信が要求されるまで、後続処理の実行を待機する（ステップＳ３２）。
【００６２】
一方、データサーバ３の処理制御部４１は、オーディオ機器１から送られる復元要求情報を受信するまで待機し（ステップＳ４１）、復元要求情報を受信すると、利用者管理ＤＢ３２を検索し、復元要件を確認する（ステップＳ４２）。
処理制御部４１は、復元要件を確認すると、受信履歴情報及び、操作履歴情報の返信をオーディオ機器１に向けて要求する（ステップＳ４３）。すなわち、オーディオ機器１のフラッシュメモリ１６に記憶されている受信履歴情報及び、操作履歴情報の返信を要求する。
そして、処理制御部４１は、オーディオ機器１からこれらの履歴情報を受信するまで、後続処理の実行を待機する（ステップＳ４４）。
【００６３】
オーディオ機器１の制御部２０は、データサーバ３から履歴情報の返信要求を受けると、フラッシュメモリ１６から図８（ａ）に示すような受信履歴情報及び、図８（ｂ）に示すような操作履歴情報を読み出し、データサーバ３に向けて送信する（ステップＳ３３）。つまり、データサーバ３から配信され、オーディオ機器１にて受信した楽曲データの履歴と、オーディオ機器１における操作履歴をデータサーバ３に送信する。
そして、制御部２０は、データサーバ３から楽曲データの配信が開始されるまで、後続処理の実行を待機する（ステップＳ３４）。
【００６４】
一方、データサーバ３の処理制御部４１は、受信履歴情報及び、操作履歴情報を受信すると、復元すべき楽曲データを特定し、対象の楽曲データをコンテンツ管理ＤＢ３１から読み出す（ステップＳ４５）。
例えば、処理制御部４１は、操作履歴情報を参照し、チェックインがなされていない楽曲データ及び、消去済みの楽曲データを除いて、受信履歴情報によりオーディオ機器１に配信したことのある全楽曲データをコンテンツ管理ＤＢ３１から読み出す。なお、処理制御部４１は、受信履歴情報により有効期限を経過している楽曲データを読み出し対象としないようにしても良い。
処理制御部４１は、読み出した各楽曲データをオーディオ機器１に向けて再配信する（ステップＳ４６）。
そして、再配信後に、処理制御部４１は、図５（ｂ）の機器情報における対象の換装区分を更新して、再配信処理を終える。
【００６５】
オーディオ機器１の制御部２０は、データサーバ３からの楽曲データの再配信が開始されると、受信した各楽曲データをハードディスク１５に格納する（ステップＳ３５）。つまり、制御部２０は、再配信される楽曲データを換装後のハードディスク１５に格納し、換装前の楽曲データを復元する。
【００６６】
このように、図９を参照して説明した復元処理及び、再配信処理によっても、換装前の楽曲データが復元される。この場合も、利用者が煩雑なバックアップ処理（リストア処理）を行う必要が無く、また、利用者側でのバックアップが不要であるため、悪意のある第三者による楽曲データの不正配布等も防止できる。
更に、オーディオ機器１から送信される操作履歴情報により、ハードディスク１５の故障の原因究明に役立てることもできる（例えば、操作履歴情報を修理センタやメーカに送信したり、修理センタ等から参照できるようにする）。
この結果、配信されたコンテンツを適切に復元することができる。
【００６７】
上記の実施の形態では、データサーバ３が楽曲データを配信する場合について説明したが、配信対象のコンテンツは、楽曲データに限られず任意である。例えば、データサーバ３は、映像データから構成されるコンテンツを配信してもよい。
【００６８】
上記の実施の形態では、説明の理解を容易にするために、１つのデータサーバ３より再配信等を行う場合について説明したが、実際には、複数のデータサーバ３が仮想店舗として、出店していることが考えられる。また、これら各仮想店舗（データサーバ３）及び利用者を統括管理するために、管理サーバもネットワーク９上に配置される。そして、このような各仮想店舗と管理サーバとが連携して、楽曲データ等を再配信するようにしてもよい。
【００６９】
具体的には、図１０に示すように、複数のデータサーバ３が仮想店舗として、オーディオ機器１からアクセス可能となっている。また、管理サーバ５もオーディオ機器１からアクセス可能となっている。
この管理サーバ５には、利用者毎に情報ＢＯＸ（所定容量の記憶エリア）が確保され、図１１に示すようなレシート情報が記憶される。図１１に示すレシート情報は、楽曲データの購入明細情報であり、購入先のデータサーバ３から送信される。
つまり、利用者が任意のデータサーバ３から楽曲データを購入すると（オーディオ機器１にダウンロードすると）、購入した楽曲データの内容を示すレシート情報がデータサーバ３から管理サーバ５に送られる。そして、管理サーバ５は、対象となる利用者の情報ＢＯＸにレシート情報を格納する。
このレシート情報は、正当な利用者がオーディオ機器１等から閲覧可能である。つまり、管理サーバ５の各情報ＢＯＸには、利用者ＩＤに対応してパスワード等が設定されており、正当な利用者だけがレシート情報を参照することができる。
そして、利用者は、このレシート情報を使用して、楽曲データ等の再配信を対象のデータサーバ３に要求することができる。
【００７０】
つまり、オーディオ機器１のハードディスク１５に故障が発生して使用できなくなり、所定の修理センタにて新たなハードディスク１５に換装（交換）された後に、利用者は、楽曲データを復元するために、オーディオ機器１から管理サーバ５にアクセスする。そして、利用者が自己の利用者ＩＤやパスワードを入力すると、オーディオ機器１は、管理サーバ５の情報ＢＯＸに格納されたレシート情報を読み出し、表示部１９に表示する。
例えば、オーディオ機器１は、レシート情報と共に、再ダウンロード要求ボタン等が配置された照会画面を表示部１９に表示する。
なお、オーディオ機器１は、ハードディスク１５が換装されたことを検出可能とし、検出時に限って、管理サーバ５へのアクセスを有効とする制御を行ってもよい。
【００７１】
レシート情報による購入内容が利用者により確認され、再ダウンロード要求ボタン等が操作部１８を介して押下されると、管理サーバ５は、レシート情報を対象のデータサーバ３に送信すると共に、データサーバ３の再ダウンロード専用ページにジャンプさせる。つまり、管理サーバ５は、レシート情報をデータサーバ３に送信し、そして、オーディオ機器１のアクセス先をデータサーバ３に切り替える。
【００７２】
データサーバ３は、管理サーバ５から送られたレシート情報を受信すると、このレシート情報の妥当性を検証し、利用者が購入した楽曲データの一覧を生成して、要求元のオーディオ機器１に送信する。そして、楽曲データの一覧がオーディオ機器１の表示部１９に表示され、利用者により、再配信が指示されると、データサーバ３は、対象の楽曲データを配信する。つまり、オーディオ機器１のハードディスク１５には、購入済みの楽曲データが復元される。
このように、図１１に示すようなレシート情報を使用しても、換装前の楽曲データが復元される。この場合も、利用者が煩雑なバックアップ処理（リストア処理）を行う必要が無く、また、利用者側でのバックアップが不要であるため、悪意のある第三者による楽曲データの不正配布等も防止できる。
【００７３】
なお、管理サーバ５は、ハードディスク１５の換装を行うメーカ等から提供される情報に基づいて、各オーディオ機器１の修理履歴を別途管理してもよい。そして、管理サーバ５は、例えば、ハードディスク１５の換装（交換）が１回目だけに限り、データサーバ３からの再配信を認める等の付加的な制御を行ってもよい。
【００７４】
また、上記の実施の形態では、レシート情報が管理サーバ５から対象のデータサーバ３に送信される場合について説明いしたが、レシート情報をオーディオ機器１内に記憶し、オーディオ機器１から管理サーバ６に送信してもよい。
例えば、新たなハードディスク１５に換装（交換）されたオーディオ機器１から、管理サーバ５にアクセスし、利用者が自己の利用者ＩＤやパスワードを入力すると、オーディオ機器１は、管理サーバ５の情報ＢＯＸに格納されたレシート情報を読み出し、表示部１９に表示する。この際、オーディオ機器１は、例えば、フラッシュメモリ１６にレシート情報を記憶する。
そして、レシート情報を確認した利用者により、再配信が指示されると、データサーバ３は、オーディオ機器１へ、対象の楽曲データを配信する。つまり、オーディオ機器１のハードディスク１５には、購入済みの楽曲データが復元される。
なお、オーディオ機器１は、ハードディスク１５が換装されたことを検出可能とし、検出時に限って、管理サーバ５へのアクセスを有効とする制御を行ってもよい。
【００７５】
また、管理サーバ５は、ハードディスク１５の換装を行うメーカ等から提供される情報に基づいて、各オーディオ機器１の修理履歴を別途管理してもよい。そして、管理サーバ５は、例えば、ハードディスク１５の換装（交換）が１回目だけに限り、データサーバ３からの再配信を認める等の付加的な制御を行ってもよい。
【００７６】
以上説明したように、本発明によれば、配信されたコンテンツを適切に復元することができる。
【図面の簡単な説明】
【００７７】
【図１】本発明の実施の形態に係る情報配信システムの構成の一例を示す模式図である。
【図２】オーディオ機器の構成の一例を示すブロック図である。
【図３】データサーバの構成の一例を示すブロック図である。
【図４】コンテンツ管理ＤＢの具体的な内容の一例を示す模式図である。
【図５】利用者管理ＤＢの具体的な模式図であって、（ａ）が利用者情報の一例を示す図であり、（ｂ）が機器情報の一例を示す図である。
【図６】配信履歴管理ＤＢの具体的な内容の一例を示す図である。
【図７】本発明の実施の形態に係る復元処理及び、再配信処理を説明するためのフローチャートである。
【図８】フラッシュメモリに記憶される具体的な情報であって、（ａ）が受信履歴情報の一例を示す図であり、（ｂ）が操作履歴情報の一例を示図である。
【図９】本発明の実施の形態に係る復元処理及び、再配信処理の変形例を説明するためのフローチャートである。
【図１０】本発明の他の実施の形態に係る情報配信システムの構成の一例を示す模式図である。
【図１１】管理サーバに記憶されるレシート情報の一例を示す模式図である。
【符号の説明】
【００７８】
１    オーディオ機器
１１  チューナユニット
１２  ＭＤ記録再生ユニット
１３  信号処理部
１４  ネットワークアダプタ
１５  ハードディスク
１６  フラッシュメモリ
１７  計時ユニット
１８  操作部
１９  表示部
２０  制御部
２１  ソース選択部
２２  アンプ
２３  スピーカ
３    データサーバ
３０  データベース
３１  コンテンツ管理ＤＢ
３２  利用者管理ＤＢ
３３  配信履歴管理ＤＢ
４１  処理制御部
４２  エンコード処理ユニット
４３  通信制御部
５    管理サーバ
【図１】
2004220592.tif 000003
【図２】
2004220592.tif 000004
【図３】
2004220592.tif 000005
【図４】
2004220592.tif 000006
【図５】
2004220592.tif 000007
【図６】
2004220592.tif 000008
【図７】
2004220592.tif 000009
【図８】
2004220592.tif 000010
【図９】
2004220592.tif 000011
【図１０】
2004220592.tif 000012
【図１１】
2004220592.tif 000013